(57)【要約】【課題】圧力計本体の表裏いずれの側においても圧力表示を視認することができ、また、それを目視確認する作業員に対して表示を見誤らせることのない圧力計を提供すること。【解決手段】圧力計本体２の相反する二面にそれぞれ指針３２ａ、３２ｂによる圧力表示を行う表示部３ａ、３ｂを有する。前記二面の表示部３ａ、３ｂの各指針３２ａ、３２ｂの回動方向が、各表示部３ａ、３ｂ側から見てそれぞれ同一の方向であること、又は前記二面の表示部３ａ、３ｂの各指針３２ａ、３２ｂの回動方向が、各表示部３ａ、３ｂ側から見てそれぞれ反対の方向であることは好ましく、前記二面の表示部３ａ、３ｂの一方がＪＩＳ規格を満たした表示態様を有する表示部であり、他方が前記一方の表示部と異なる表示態様を有する表示部であることも好ましい。【選択図】          図１
2004177355.tif 000002
【特許請求の範囲】
【請求項１】
圧力計本体の相反する二面にそれぞれ指針による圧力表示を行う表示部を有することを特徴とする圧力計。
【請求項２】
前記二面の表示部の各指針の回動方向が、各表示部側から見てそれぞれ同一の方向であることを特徴とする請求項１記載の圧力計。
【請求項３】
前記二面の表示部の各指針の回動方向が、各表示部側から見てそれぞれ反対の方向であることを特徴とする請求項１記載の圧力計。
【請求項４】
前記二面の表示部の一方がＪＩＳ規格を満たした表示態様を有する表示部であり、他方が前記一方の表示部と異なる表示態様を有する表示部であることを特徴とする請求項３記載の圧力計。
【発明の詳細な説明】
【０００１】
【発明の属する技術分野】
本発明は圧力計に関し、詳しくは圧力計本体の表裏いずれの側においても指針による圧力表示を視認することのできる圧力計に関する。
【０００２】
【従来の技術】
従来の圧力計は、表示板及び指針からなる表示部が圧力計本体の片面にのみ設けられている（特許文献１）。かかる片面表示型の圧力計においては、目盛りの読み取り誤差を防ぐため、その表示部を真正面から覗き込む必要がある。
【０００３】
一般に、圧力計の設置状況は千差万別であるが、基本的には圧力計を見易いように、その表示部が作業員等により直視され易い作業通路側に向くように配設される。例えば図７（ａ）に示すように、多数の配管Ｐ１、Ｐ２・・・から側方に張り出すようにそれぞれ圧力計Ｇ１、Ｇ２・・・を配設しているプラントの場合、各圧力計Ｇ１、Ｇ２・・・は、作業員Ｗが作業通路Ｓを通りながら確認作業できるように、その表示部Ｇ１ａ、Ｇ２ａ・・・が作業通路Ｓ側を向くように配設される。
【０００４】
しかし、作業員Ｗが、圧力計Ｇ１、Ｇ２・・・の表示部Ｇ１ａ、Ｇ２ａ・・・が向いている側とは反対側で作業しているような場合にその場で圧力計Ｇ１、Ｇ２・・・の表示を確認したいとき、わざわざ反対側まで回り込まなくては表示を直視することができない問題がある。
【０００５】
しかも、図７（ｂ）に示すように、例えば配管の増設や作業機器等の新設等によって、それまでの作業通路Ｓが塞がれてしまい、配管Ｐ１、Ｐ２・・・を挟んでその作業通路Ｓと反対側に新たに作業通路Ｓａを設けるようになった場合、作業員Ｗは各圧力計Ｇ１、Ｇ２・・・の表示部Ｇ１ａ、Ｇ２ａ・・・を正面から直視することができなくなる問題がある。このような場合、各圧力計Ｇ１、Ｇ２・・・の向きを変える手間を要するが、圧力計は取付け用配管に強固にねじ込まれて固定されているため、その向きの変更は容易な作業ではない。特に、屋外において風雨に晒されている場合には、錆の発生により回動不能となっている場合もあり、また一般に、取付け螺子部には向き調整を行うためのテープが巻回されていることが多く、向きを変更するために現在の状態から更に回動させることは極めて困難な作業である。これが巨大プラント等の場合ように、極めて多数の圧力計の向きを変えなくてはならない場合には、事態は一層深刻である。
【０００６】
また、圧力計の向きを回動させずに表示確認しようとする場合、表示部が向いている側まで無理な体勢で回り込んだり、先端に鏡のついた器具を利用して確認することも考えられるが、この場合、指針の指し示している目盛りの読み取り誤差が大きくなってしまったり、指針の回動方向を錯覚して、圧力表示の誤認を招く問題がある。圧力計の表示は、それが例えばプラントの配管に設けられている圧力計の場合には、運転条件設定の重要な要因の一つであり、それが一目盛りでも違っていると運転条件の変更作業が要求されるため、圧力表示の誤認は極めて重大な問題である。
【０００７】
【特許文献１】特開平８−６２０７１号公報
【０００８】
【発明が解決しようとする課題】
そこで、本発明の課題は、圧力計本体の表裏いずれの側においても圧力表示を視認することができ、また、それを目視確認する作業員に対して表示を見誤らせることのない圧力計を提供することにある。
【０００９】
【課題を解決するための手段】
上記課題を解決する請求項１記載の発明は、圧力計本体の相反する二面にそれぞれ指針による圧力表示を行う表示部を有することを特徴とする圧力計である。
【００１０】
請求項２記載の発明は、前記二面の表示部の各指針の回動方向が、各表示部側から見てそれぞれ同一の方向であることを特徴とする請求項１記載の圧力計である。
【００１１】
請求項３記載の発明は、前記二面の表示部の各指針の回動方向が、各表示部側から見てそれぞれ反対の方向であることを特徴とする請求項１記載の圧力計である。
【００１２】
請求項４記載の発明は、前記二面の表示部の一方がＪＩＳ規格を満たした表示態様を有する表示部であり、他方が前記一方の表示部と異なる表示態様を有する表示部であることを特徴とする請求項３記載の圧力計である。
【００１３】
【発明の実施の形態】
以下、本発明の実施の形態について図面に基づいて説明する。
【００１４】
図１は、本発明に係る圧力計の第１の実施形態を示しており、（ａ）は圧力計を表面側から見た概観斜視図、（ｂ）は圧力計を裏面側から見た概観斜視図である。ここでは被測定圧が正圧である場合の圧力計を例示している。
【００１５】
圧力計１Ａは、同図から明らかなように、圧力計本体２の相反する二面に表示板３１ａ、３１ｂ及び指針３２ａ、３２ｂからなる表示部３ａ、３ｂがそれぞれ設けられている。なお、２１ａ、２１ｂは圧力計本体２の各面にそれぞれ設けられた透明なカバーガラス、４は圧力導入部である。
【００１６】
この第１の実施形態に係る圧力計１Ａは、図１（ａ）に示す表示部３ａ側において、指針３２ａが圧力導入部４から導入される被測定圧に応じて、表示板３１ａ表面を時計回りに回転することにより圧力表示を行うようになっており、また、それと相反する面である図１（ｂ）に示す表示部３ｂ側において、指針３２ｂが圧力導入部４から導入される被測定圧に応じて、表示板３１ｂ表面を同じく時計回りに回転することにより圧力表示を行うようになっている。
【００１７】
図２は、圧力計１Ａの内部構造の一例を示す分解斜視図である。図中、５は一端が圧力導入部４に固着されて該圧力導入部４から被測定圧が内部に導入されるブルドン管、６はブルドン管５の先端の変位量を回転角度に変換して指針３２ａ、３２ｂに伝達する伝達機構である。なお、図２ではカバーガラス２１ａ、２１ｂ及び圧力計本体２の外殻部分は図示省略されている。
【００１８】
伝達機構６は、圧力導入部４に設けられた２枚の座板６１ａ、６１ｂと、ブルドン管５の先端に一端が回動可能に取り付けられたリンク６２と、このリンク６２の他端に一部が回動可能に取り付けられると共に回転軸が座板６１ａ、６１ｂ間に設けられたセクタギア６３と、このセクタギア６３に噛合すると共に回転軸の一端６４ａが表示部３ａの表示板３１ａ中心から突出して指針３２ａが固定されたピニオン６４と、このピニオン６４と座板６１ａ、６１ｂ間の支柱６６とに亘って取り付けられ、ピニオン６４を表示部３ａ側から見て反時計回りに付勢する捩りコイルバネ６５とを備えて構成されている。また、ピニオン６４の回転軸の他端６４ｂは座板６１ｂから更に突出し、その先端にはピニオン６４の回転方向を反対方向に変換する変換機構７が設けられている。
【００１９】
この変換機構７は、ピニオン６４の回転軸の他端６４ｂに取り付けられた第１ピニオン７１と、この第１ピニオン７１に対向するように配置された第２ピニオン７２と、これら第１ピニオン７１及び第２ピニオン７２に噛合する冠歯車７３とを備えて構成されており、第２ピニオン７２及び冠歯車７３がそれぞれ座板８に取り付けられて圧力導入部４に設けられている。そして、第２ピニオン７２の回転軸の一端７２ａは、圧力計本体２の裏面側の表示部３ｂの表示板３１ｂ中心から突出して指針３２ｂが固定されている。
【００２０】
次に、かかる圧力計１Ａの作動について説明すると、圧力導入部４からブルドン管５内に被測定圧が導入されると、その先端の変位量が伝達機構６のセクタギア６３を介してピニオン６４の回転量に変換され、このピニオン６４の回転軸の一端６４ａに取り付けられた表面側の表示部３ａの指針３２ａを時計回りに回動させ、被測定圧に応じた圧力を表示する。これと同時に、ピニオン６４の回転は、その回転軸の他端６４ｂに設けられた変換機構７の第１ピニオン７１を回転させ、これと噛合する冠歯車７３を介して第２ピニオン７２に伝達される。この第２ピニオン７２の回転方向は冠歯車７３によって第１ピニオン７１とは反対方向に変換され、第２ピニオン７２の回転軸の一端７２ａに取り付けられた裏面側の表示部３ｂの指針３２ｂを該表示部３ｂ側から見て時計回りに回動させることにより、表示部３ａの指針３２ａと同一の圧力を表示する。
【００２１】
従って、この圧力計１Ａによれば、表裏いずれの側からも指針３２ａ、３２ｂを目視することで表示を確認することができるため、従来のように圧力表示を確認するために表示部とは反対側にいる作業員がわざわざ表示部側まで回り込むような労力は不要となる。しかも、いずれの指針３２ａ、３２ｂも各々の表示部３ａ、３ｂから見て時計回りに回動するため、ＪＩＳ  Ｂ７５０５で定められた通りの圧力表示を行うことができる。
【００２２】
なお、変換機構７には、第１ピニオン７１、第２ピニオン７２及び冠歯車７３に代えて、それぞれ傘歯車を用いるようにしてもよい。
【００２３】
図３は、本発明に係る圧力計の第２の実施形態の内部構造を示す分解斜視図である。図２と同一構成には同一符号を付してある。ここでもカバーガラス２１ａ、２１ｂ及び圧力計本体２の外殻部分は図示省略されている。また、被測定圧による表示部３ａ側の指針３２ａの回動動作については、上記第１の実施形態と同一であるため説明は省略する。
【００２４】
この第２の実施形態に示す圧力計１Ｂは、ブルドン管５の変位量に応じて伝達機構６の作動により回動されるピニオン６４の他端６４ｂが、座板６１ｂから更に延びて表示部３ｂの表示板３１ｂから突出し、その先端に指針３２ｂが取り付けられている。
【００２５】
この第２の実施形態によれば、第１の実施形態における変換機構７を設けていないため、それだけ構造を簡素化することができる利点がある。但し、表示部３ｂ側の圧力表示は、指針３２ｂが反時計回りに回動することによって行われる。
【００２６】
ここで、一般に正圧を測定する圧力計は指針が時計回りに回動することによって圧力表示を行うように規格化されている。この第２の実施形態では、表示部３ａ側がこの規格を満たしているが、表示部３ｂ側は、指針３２ｂが反時計回りに回動する規格外となるため、規格通りに指針が回動する正規の圧力表示を見慣れている作業員に錯覚を起こさせないようにする必要がある。これは表示を一目見た際に、作業員は指針が指し示している目盛りで圧力表示を確認するというよりも、指針の角度で圧力を判断する習性があるためである。
【００２７】
このため、第２の実施形態に係る圧力計１Ｂでは、以下に説明するように、表示部３ｂ側の表示態様を正規の表示部３ａ側とは異ならせることが好ましい。これにより表示部３ｂ側を一目見た作業員に対して正規の表示を行う表示部３ａ側とは異なることを知覚させることができ、表示を読む際に注意を促すことができる。その結果として、作業員が表示を見誤ることを防止することができる。
【００２８】
第１の態様は、表示部３ｂの表示板３１ｂ、指針３２ｂ、表示部３ｂの前面を覆っているカバー２１ｂのうちの少なくともいずれかの色を、表示部３ａ側のそれらの色と異ならせることである。色を異ならせるという簡易な構成だけで、表示部３ｂ側を一目見た作業員に、表示部３ａ側とは異なることを気づかせることができる。
【００２９】
第２の態様は、表示部３ｂの表示板３１ｂに形成される表示を、表示部３ａの表示板３１ａに形成されている表示と異ならせることである。一目見ただけで、いつもの見慣れた正規の表示と異なる印象を与えることができるため、作業員に対してより明確に注意を促すことができる。
【００３０】
これを図面を用いて説明する。図４（ａ）は、表示板３１ｂの表示を目盛りの代わりに又は目盛りに加えて圧力の度合いに応じて色分けされた表示帯３０１を形成した例である。この表示帯３０１は、図示するように、圧力表示が０の状態から圧力が大きくなるに従って徐々に幅が広くなるように形成すると、指針３２ｂの左右のいずれの側が圧力が大きくなる方向であるかがわかり易くなるためにより好ましい。
【００３１】
図４（ｂ）は、表示板３１ｂに、指針３２ｂの回動方向を示すマーク３０２を形成した例である。ここでは各目盛りの間に矢印状のマーク３０２を形成しているが、指針３２ｂの回動方向を示すことができるものであれば矢印状のものに限定されない。また、マーク３０２の数及び位置も特に限定されない。
【００３２】
図４（ｃ）は、指針３２ｂを、図４（ａ）（ｂ）と取り付け角度を変えた向きに取り付けるようにした例であり、ここでは１８０度変えた向きに取り付けたことにより、表示板３１ｂの下側を経由して反時計回りに回動するように構成している。この場合、目盛り３０３も表示板３１ｂの下側に反時計回りに圧力が漸次大きくなるように形成されるが、この表示は図４（ａ）又は（ｂ）に示した例のように形成してもよい。
【００３３】
図４（ｄ）は、目盛り毎に所定のマーク３０４を形成し、圧力が漸次大きくなる毎に該マーク３０４の大きさを漸次大きくなるように構成した例である。この場合、各マーク３０４は、例えば圧力が大きくなるにつれて濃度を高くする等のように、それぞれ色を異ならせるようにしてもよく、また、マーク３０４の形状も図示する円形に限らず、多角形状等任意である。
【００３４】
図５は、本発明に係る圧力計の第３の実施形態の内部構造を示す分解斜視図である。図２と同一構成には同一符号を付してある。ここではカバーガラス２１ａ及び圧力計本体２の外殻部分は図示省略されている。また、被測定圧による表示部３ａ側の指針３２ａの回動動作についても、第１の実施形態と同一であるため説明は省略する。
【００３５】
この第３の実施形態に示す圧力計１Ｃは、ブルドン管５の変位量に応じて伝達機構６の作動により回動されるピニオン６４の他端６４ｂが、座板６１ｂから更に延びて表示部３ｂの表示板３１ｂ’の中心に取り付けられている。従って、この表示板３１ｂ’は、表示部３ａの指針３２ｂの時計回りの回動に伴って反時計回りに回転する。
【００３６】
この表示板３１ｂ’には、目盛り３０５が時計回りに圧力が漸次大きくなるように形成されており、また、この表示板３１ｂ’の前面に設けられるカバーガラス２１ｂに指針４００が印刷等により形成されている。従って、表示部３ａ側の指針３２ａが圧力０の状態を指し示している時、この表示板３１ｂ’の目盛り３０４が指針４００によって圧力０を示すように配置させておけば、被測定圧の導入に伴って表示部３ａ側の指針３２ａと共に表示板３１ｂ’が反時計回りに回転し、図６に示すように、カバーガラス２１ｂに形成されている指針４００によってそのときの圧力表示を視認することができるようになる。
【００３７】
この第３の実施形態においても、上記した第２の実施形態と同様、表示部３ｂ側の表示態様を正規の表示部３ａ側とは異ならせているため、表示を一目見た作業員に注意を促すことができる。しかも、この第３の実施形態では、表示部３ｂ側の表示は、表示板３１ｂ’に時計回りに圧力が漸次大きくなるように形成されるため、圧力が大きくなる方向が表示部３ａ側の正規の表示と同じであるため、作業員に違和感を与えることがなく、表示板３１ｂ’に数値を形成しても作業員に読み間違えを起こさせる心配が少ない。
【００３８】
【発明の効果】
本発明によれば、わざわざ反対側まで回り込むような労力を要せずに圧力計本体の表裏いずれの側においても圧力表示を視認することができ、また、それを目視確認する作業員に対して表示を見誤らせることのない圧力計を提供することができる。
【図面の簡単な説明】
【図１】（ａ）は本発明に係る圧力計の第１の実施形態を示す圧力計を表面側から見た概観斜視図、（ｂ）は圧力計を裏面側から見た概観斜視図
【図２】圧力計の内部構造の一例を示す分解斜視図
【図３】本発明に係る圧力計の第２の実施形態の内部構造を示す分解斜視図
【図４】（ａ）から（ｄ）は正規の表示部の裏面側の表示部における表示板の表示態様を示す図
【図５】本発明に係る圧力計の第３の実施形態の内部構造を示す分解斜視図
【図６】第３の実施形態に係る圧力計における正規の表示部の裏面側の表示部を示す図
【図７】（ａ）（ｂ）は従来の圧力計の設置状況を説明する図
【符号の説明】
１Ａ、１Ｂ、１Ｃ：圧力計
２：圧力計本体
２１ａ、２１ｂ：カバーガラス
３ａ、３ｂ：表示部
３１ａ、３１ｂ：表示板
３２ａ、３２ｂ：指針
４：圧力導入部
４００：指針
【図１】
2004177355.tif 000003
【図２】
2004177355.tif 000004
【図３】
2004177355.tif 000005
【図４】
2004177355.tif 000006
【図５】
2004177355.tif 000007
【図６】
2004177355.tif 000008
【図７】
2004177355.tif 000009